(57)【要約】【課題】パークゴルフで使うパークゴルフクラブにおいて、クラブヘッドとシャフト間の角度（ライ角）が調節できる機構の実現を図る。【解決手段】クラブヘッドの内部にシャフトの先端に付けた緊結部が回転できるような空房を設け、回転ピンを中心として任意にクラブヘッドとシャフト間の角度（ライ角）が調整可能とする。また、端部のボルト部とパッキン部品の圧縮効果でシャフトの固定を可能とする。【選択図】  図１
2006326232.tif 000002
【特許請求の範囲】
【請求項１】
シャフトとヘッド間の角度（ライ角）が調節可能なパークゴルフクラブについて：
ａ）ヘッドの内部をフェース正面から見て、上部に扇形、下部に逆扇形、中心に円形の空房をもつクラブヘッド；
ｂ）前記クラブヘッドの上部表面をとおして、ａ）で記した上部空房に通じる開口部；
ｃ）ａ）で記した円形空房の中心から描かれる円弧で示されるヘッドの表面部；
ｄ）ａ）で記した中心の空房に置かれる円筒状の回転部品；ここで前記部品は、ボルトを挿入できるネジ穴をもつ；
ｅ）ｂ）で記した上部表面の開口部を通って、ｄ）で記した回転部品のネジ穴に挿入出来る端部をもつクラブシャフト；
ｆ）ｅ）で記した端部は、ｄ）で記した回転部品のネジ穴に適合するボルト部を有する；
ｇ）ｅ）で記したボルト部に挿入して滑り摩擦を大きくするパッキン部品；ここで前記部品は、クラブの表面に追従する形状・素性をもつ；
ｈ）前記の構成により、ある選択された角度範囲で、ａ）で記した円形空房の中心の周りに軸回転でき、回転防止のため圧締できる特徴を持つ前記クラブヘッドおよびシャフト。
ｉ）ヘッドの表面部にシャフトとヘッド間の角度（ライ角）が確認出来るように角度を示す目盛を有する；
【請求項２】
ｅ）で記したクラブシャフト端部に取り付けたボルト部を、ｄ）で記した回転部品に設けられているネジ穴に締め込んでいくことにより、シャフトのボルト部が回転ピンとヘッド表面に対し垂直に荷重が加わり、ｇ）で記したパッキン部品の効果でクラブとシャフトをより確実に緊結・固定出来る特徴を有する請求項１に記載のパークゴルフクラブ。
【請求項３】
ｅ），ｆ）で記したクラブシャフトを手で回転することにより、ｄ）で記した回転部品のネジ穴にネジ込まれていくため特殊な工具を必要とせず、簡単に圧締出来る特徴を有する請求項１〜２に記載のパークゴルフクラブ。
【請求項４】
ｈ）で記した角度設定が、前記クラブのフェース正面に対し左右対称に振り分けられた中で変更可能であり、右利き左利きの両者において均等に利用できることを特徴とする請求項１に記載のパークゴルフクラブ。
【請求項５】
ｈ）で記した角度設定が、左右４０度付近から９０度まで対応可能であり、車椅子に座った状態でも上半身を使ってティーショットができることを特徴とする請求項１〜４に記載のパークゴルフクラブ。
【請求項６】
ｃ）で記した円弧で示されるヘッドの表面部付近にｉ）で記した角度目盛をマークなどで示したクラブで、使用者が打ちやすいシャフトとヘッド間の角度（ライ角）を確認出来ることを特徴とする請求項１〜５に記載のパークゴルフクラブ。
【発明の詳細な説明】
【技術分野】
【０００１】  本発明は、パークゴルフで使用するシャフトとヘッドの間の角度（ライ角）が調節可能なパークゴルフクラブに関する。
【背景技術】
【０００２】  パークゴルフクラブは、シャフトとヘッドの間の角度（ライ角）が固定されている。この角度は平均的なパークゴルフプレイヤーに合わせて設定されているが、個々のプレイヤーにとっては最適でなく、彼らは、固定されたクラブに彼らのスタンスを適合させなければならない。【０００３】  パークゴルフは、簡単な用具で手軽に出来るスポーツであるため、力の弱い子どもや高齢者・車椅子利用者など多様な身体機能を有するプレイヤーが参加するようになってきた。【０００４】  パークゴルフクラブにおいて、シャフトとヘッドの間の角度（ライ角）が固定されているため、自分のスタンスに適した角度を確認することが出来なかった。また、角度調節機能を利用して、一本のクラブで右用と左用に対応できるものがなかった。
【発明の開示】
【発明が解決しようとする課題】
【０００５】  高齢者や車椅子利用者など個人の身体機能によってクラブを構えるスタンスが違うことから、最適な角度（ライ角）に調節・固定できるパークゴルフクラブはこれらの人がプレーする上で有効であるため、一般的なゴルフ大会の規則に許容される範囲で使用可能なクラブを実現することにある。【０００６】  本発明の目的は、いろいろなプレイヤーの身体機能に適合するようにシャフトとヘッドの間の角度（ライ角）を任意に設定できる調節性パークゴルフクラブを提供することにある。【０００７】本発明のもう一つの目的は、シャフトとヘッドの調節角度によって一本のクラブで右用と左用に対応できる調節性パークゴルフクラブを提供することにある。【０００８】  本発明のもう一つの目的は、シャフトとヘッドの間の角度（ライ角）が、自由に選択できて、個々のプレイヤーに適したクラブの角度情報を知ることが出来る調節性パークゴルフクラブを提供することにある。【０００９】  本発明のもう一つの目的は、シャフトとヘッドの相対角度が、ある角度範囲で選択できて、選択した角度は、特殊な道具を使わず簡単に変えることのできる、調節性ゴルフクラブを提供することにある。
【課題を解決するための手段】
【００１０】  上記の問題およびその他の問題は、本発明のパークゴルフクラブの角度調節機構によって基本的に克服される。それは、内部に回転ピンを組み込んだ通常の状態で使用可能な外形をもつパークゴルフのクラブヘッドとその回転ピンに固定できるシャフトの構造から実現させる。当該ヘッドはシャフトの緊結部の回転を保証するためクラブヘッド内部の底表面から上面部に広がる空房をもつ。クラブシャフトの先端に取り付けたボルトによる緊結部は、当該ヘッドの上部表面内の開口部を通って内部に組み込んだ回転ピンを介してヘッドの空房に挿入される。【００１１】  シャフトの先端に取り付けたボルト部をヘッドの上部の開口部から、内部に組み込んだ回転ピンに設けたナット部にねじ込んでゆくことでシャフトとヘッドが緊結される。シャフトのボルトを適度にねじ込んだ状態でヘッドを押さえ、シャフトを動かすとヘッド内の回転ピンを軸として回転し、シャフトとヘッドの間の角度（ライ角）が任意に得られる。【００１２】  ヘッドの打球面は通常の範囲で使用可能となるような左右対称の形状を選定し、その正面形状の中心軸に対し回転のための空房を左右対称に振り分けることにより、ヘッドをつかんでシャフトを動かすと左右同等の回転が実現できる。打球面に対し左に倒れたシャフトの角度を持つ場合は左効き用のクラブとなり、右に倒れた角度を持つ場合は右利き用のクラブとなることから、一本のクラブで右用と左用のクラブが実現できる。【００１３】  目的の角度が選択されると、シャフトに取り付けたボルトを更にねじ込んでいく。ボルトの終焉部に取り付けた受け部とヘッドの上面が接触するようになり、よりねじ込むと回転ピンとヘッド上面をスパンとする長さで圧締された状態になり、ヘッドとシャフトが固定される。【００１４】  ヘッドの上面部の回転用の空房先端は、回転ピンを中心に同一円周になるよう彫られており、シャフトの受け部とヘッド面の接触する状況では、力が分散せず常にシャフト軸に対して垂直方向の荷重がかかることになる。また受け部を適度に摩擦力のある弾性を持つ材料を使用することにより、圧締した状態ではヘッドとシャフトが回転しにくい構造となる。【００１５】  圧締はシャフトについたボルトで固定する方式であり、ボルトはシャフトと一体化していることから、径の大きなシャフトを手で回すことになり回す力は小さくて済む。回転のために特別な工具を必要としないことからも、簡単に角度調節が可能となる【００１６】  シャフトのヘッド面に近い位置に付けた中心を通る縦ラインとヘッド上面部に付けた角度を示す横のラインにより、自分に適した現在の回転角を確認することが可能となる。
【発明の効果】
【００１７】  パークゴルフクラブのシャフトとヘッドの角度（ライ角）を可変にすることにより、従来のように固定された角度を持つクラブにプレイヤーのスタンスを無理に合わせて使わなくてすみ、自分に適する角度を選んでプレーできるようになる。特に、パークゴルフは小さい子供や高齢者、車椅子利用者などが参加できる手軽なスポーツであることから、プレーする人の身体能力や身体機能にもバラツキが見られ、スタンスの違いを考えると、角度をある範囲に固定することは無理がある。例えば、車椅子に乗った状態で前面にボールを置いてクラブを使おうとすると、立位の状態と違ってシャフトとヘッドの間の角度を小さくしなければならないことになり、本発明の回転機能が生かせる。また、車椅子であるため、コース上では常に正面から打てる状況にはなりにくく、サイドの位置など不自然な姿勢で打たなければならない場面も多々あり、この場合は逆にシャフトとヘッドの角度は大きい方が打ちやすくなり、簡単に角度調整できる本発明の利点が生かせる。【００１８】  技術が向上するにつれ、自分運動特性に合った用具を特注する場合も多く見られる。本発明ではヘッドとシャフト角度が変わり、ヘッドに角度を示すメモリがついていることから自分に最適な角度を確認することが出来、計測器としての活用も可能となる。そのため、メーカーに発注する場合、その角度に基づくパークゴルフクラブのオーダーが可能となり、本発明品を利用することにより、よりユーザーに適した用具の購入が可能となる。【００１９】  パークゴルフ場ではクラブをレンタルで貸し出す場合があるが、ユーザーによっては左効きの人もおり、左右両方のクラブを保有する必要がある。本発明では、１本で右用左用に対応できることから、どちらかのクラブが不足するようなこともなく用具の管理も容易になる。
【発明を実施するための最良の形態】
【実施例】  以下、本発明の実施例を説明する。【００２０】  図１は、本発明に係るパークゴルフクラブ用のヘッドおよびシャフト一部を示す斜視図である。図２は同一のものを左側面から見た側面図である。図１と図２を参照すると、ヘッド１０の上面からシャフト３０を挿入し、連結する様子が示されている。ヘッド１０は、湾曲した上部表面１２、湾曲した底部表面１４、平らな前面のボールを打つ表面１１、および壁面１３を含む。また、ヘッド１０は表面１１から見て左右対称の形状を有している。シャフト３０は、詳細が以下に示されるように、開口部１６を通って内部の回転軸４０のネジ穴４１に対してシャフトに取り付いたボルト３３をねじ込んでヘッド１０と一体になる。使用目的によってもし必要なら、開口部１６のすき間からほこり又は水その他のものが内部に入り込むことを防ぐため、開口部１６をシールするゴム製の覆いまたは柔らかいフォーム製の詰めもの（図示されていない）を使用してもよい。また、ヘッド底部表面に通気通水用の小穴を（図示されていない）を設けてもよい。【００２１】  図３は、図１、図２の線１−１に沿った断面図であり、シャフト３０のヘッド１０に対する角度α（ライ角）を調節できるようにし、使用に際してこれらの部品を互いに連結・固定する、ヘッド１０の内部の構造を示している。【００２２】  図４は、図１、図２の線１−１に沿った面で切った時のヘッド内部の斜視図である。シャフト３０の接合ボルト３３がスライドする際に移動を保証する空房の構造を示している。また、図５は、シャフト３０とヘッド１０の内部に格納される回転ピン４０の斜視図であり、接合ボルト３３と回転ピンのビス穴４１の接合方法を示している。【００２３】  上部の扇型の空房２２は、開口部１６を通ってヘッド１０の内部に広がる。下部の逆扇形の空房２１は、回転ピン４０の空隙を通ってヘッド１０の内部に広がる。上部空房２２と下部空房２１の境界には回転ピン４０挿入用の円形空房２３が設けられている。【００２４】  空房２２は、角度調節の際、シャフトに取り付けたボルト３３の上部がスライドして移動可能とするためで、同様に空房２１は、回転ピン４０を通して出るボルト３３の下部の移動を可能とするために設けられている。【００２５】  ヘッド１０とシャフトの角度α（ライ角）はシャフトのボルト３３を適度に回転ピンのネジ穴４１にねじ込んだ状態でヘッド１０を押さえ、シャフトを動かすとヘッド内の回転ピン４０を軸として回転し、可動範囲の中で任意に得られる。【００２６】ヘッド１０の構造は表面１１から見て左右対称の形状を有していることから、ヘッド１０とシャフトの角度α（ライ角）についても垂直に対し左右に同様な調整が可能である。角度αが９０度より小さいときは右利き用に、９０度より大きいときは左利き用に調整できる。【００２７】  ヘッド１０とシャフト１２の最終的な固定はシャフトに取り付けたボルト３３が回転ピン４０に設けられたネジ穴４１に適度にねじ込まれた状態で目的のシャフトのライ角αを決めたあと、さらにねじ込んで終わる。ボルト３３の上部にある滑り止めを兼ねたパッキン部品３２がヘッド１０の表面部に接触し圧締されて固定される。圧締はパッキン部品３２を介し回転ピン���ヘッド表面の張力で保たれる。パッキン３２があたるヘッド表面は、回転ピンを軸とする同心円にすることにより、力の分散がなくシャフトに対し垂直にかかるようなり、使用時のヘッド角α（ライ角）の移動を押さえることが出来る。パッキン部品３２は滑り摩擦係数の大きい弾性を有する素材を用いることが望ましい。【００２８】  ヘッド１０とシャフト３０の固定は、特別な工具を使うことなく、手によって実現できる。シャフト３０にボルトがあらかじめ取り付いていることから、シャフトの径が太いため回転モーメントの差を利用して、ヘッド１０を押さえて回すことで容易に固定される。車椅子利用者などがパークゴルフを行う時、ゲーム中、ボールの位置によっては打つ姿勢が制限され、ヘッド角を起てたり、逆手使いにしたりした方が打ちやすい場面も見られることからも、本発明の角度調整機能がゲームの進行をスムーズにする。【００２９】  パークゴルフのプレイヤーによっては、既製のパークゴルフクラブに飽きたらず自分の身体機能に適合するようにクラブを特注する場合も見られる。自分に適した角度（ライ角）を持つクラブの確認のためには、角度調整機能を持つクラブがない場合、違ったクラブを何本も用意し、試打することが必要であるが、本発明では、シャフト３０に付けた縦のラインとヘッド面に付けた中心を通る縦ラインとヘッド上面部に付けた角度（ライ角）を示す横のライン１７の交差位置が角度を示す目盛となり、１本のクラブで自分に適した現在の角度（ライ角）を確認することが可能となる。
【図面の簡単な説明】
【図１】本発明のパークゴルフクラブのヘッド部の斜視図である。
【図２】パークゴルフクラブのヘッド部の側面図である。
【図３】パークゴルフクラブのヘッドの中の内部部品を示す、図１、図２の線１−１に沿った断面図である。
【図４】パークゴルフクラブのヘッドの中の内部部品を示す、図１、図２の線１−１に沿って切ったヘッド内部を示す斜視図である。
【図５】シャフトと回転ピンの接合状態を示すである。
【符号の説明】
αヘッドとシャフトでできるライ角
１断面部位を示す線
１０ゴルフクラブのヘッド
１１前面またはボールを打つ表面
１２上部表面
１３側部表面
１４底部表面
１５同心円上の上部表面の凸部
１６開口部
１７角度確認用メモリ
２１内部下部の空房
２２内部上部の空房
２３軸受け部の空房
３０ゴルフクラブのシャフト
３１シャフトの先端部分
３２圧締用パッキン部品
３３接合ボルト
４０回転ピン
４１ビス穴
【図１】
2006326232.tif 000003
【図２】
2006326232.tif 000004
【図３】
2006326232.tif 000005
【図４】
2006326232.tif 000006
【図５】
2006326232.tif 000007